(57)【特許請求の範囲】
【請求項１】
一対の基板を有する液晶パネルと、
前記液晶パネルに重ねられて光を供給するためのバックライトと、
前記バックライトを内側に収容し、最上面の上に前記液晶パネルが載るフレームと、
前記液晶パネルと前記フレームを粘着する遮光粘着テープと、
を有し、
前記遮光粘着テープは、前記液晶パネルの端面を覆い、上端が前記一対の基板と離れた位置に設けられていることを特徴とする液晶表示装置。
【請求項２】
請求項１に記載された液晶表示装置において、
前記遮光粘着テープの、前記液晶パネルと前記フレームを粘着する部分から突出した部分において前記液晶パネルとは反対側の面は、粘着力を有しないことを特徴とする液晶表示装置。
【請求項３】
請求項２に記載された液晶表示装置において、
前記液晶パネルは画像表示用パネルであり、
前記画像表示用パネルに表示された左眼画像と右眼画像を分離して裸眼立体視を可能にするために、前記バックライトとは反対側で前記画像表示用パネルに貼り付けられた視差バリア液晶パネルをさらに有することを特徴とする液晶表示装置。
【発明の詳細な説明】
【技術分野】
【０００１】
本発明は、液晶表示装置に関する。
【背景技術】
【０００２】
バックライトを備える液晶表示装置では光漏れの防止が重要になっている。例えば、偏光板とフレームとの間の光漏れを防止するためには、フレームの凹部に隙間なく偏光板を配置することが好ましいが、実際には困難である。そこで、特許文献１には、液晶表示パネルとフレームを固定する遮光両面テープを、内側に突出するように設けて、偏光板とフレームの隙間を埋めて光漏れを防ぐことが開示されている。
【先行技術文献】
【特許文献】
【０００３】
【特許文献１】特開２０１０−２２３９９９号公報
【特許文献２】特開２００３−５１６０号公報
【発明の概要】
【発明が解決しようとする課題】
【０００４】
特許文献１の方法では、液晶表示パネルの端面から反射して漏れる光を防ぐことが出来ないという問題があった。なお、特許文献２には、液晶表示パネルの側面に遮光膜を形成して、当該側面からの光の反射を防止することが開示されているが、これは、フレームから液晶表示パネルの端部への光漏れ対策が採られていない構造が前提となっている。
【０００５】
本発明は、フレームから液晶表示パネルの端部への光漏れを防止し、偏光板とフレームとの間の光漏れを防止することを目的とする。
【課題を解決するための手段】
【０００６】
（１）本発明に係る液晶表示装置は、液晶パネルと、前記液晶パネルに重ねられて光を供給するためのバックライトと、前記バックライトを内側に収容し、前記液晶パネルの端部が上に載るフレームと、前記液晶パネルの前記端部と前記フレームを粘着する遮光両面テープと、を有し、前記遮光両面テープは、前記液晶パネルと前記フレームとの間から突出して屈曲し、前記液晶パネルの端面を覆うことを特徴とする。本発明によれば、液晶パネルの端部とフレームが遮光両面テープで粘着しているので、フレームから液晶パネルの端部への光漏れが防止されている。また、液晶パネルの端面が遮光両面テープで覆われているので、偏光板とフレームとの間を光が通っても、液晶パネルの端面で光が反射しないので、光漏れを防止することができる。
【０００７】
（２）（１）に記載された液晶表示装置において、前記液晶パネルは画像表示用パネルであり、前記画像表示用パネルに表示された左眼画像と右眼画像を分離して裸眼立体視を可能にするために、前記バックライトとは反対側で前記画像表示用パネルに貼り付けられた視差バリア液晶パネルをさらに有することを特徴としてもよい。
【０００８】
（３）（１）又は（２）に記載された液晶表示装置において、前記液晶パネルは、一対の基板を有し、前記遮光両面テープは、前記一対の基板の両方の端面を覆うことを特徴としてもよい。
【０００９】
（４）（３）に記載された液晶表示装置において、前記一対の基板は、大きさの異なる矩形の平面形状を有し、一方の前記基板の一辺から他方の前記基板が突出し、相互に三辺同士が揃うように配置され、前記遮光両面テープは、前記三辺の端面を覆うことを特徴としてもよい。
【図面の簡単な説明】
【００１０】
【図１】本発明の実施形態に係る液晶表示装置の平面図である。
【図２】図１に示す液晶表示装置のII−II線断面図である。
【図３】本発明の実施形態に係る液晶表示装置の製造方法を示す図である。
【発明を実施するための形態】
【００１１】
以下、本発明の実施の形態について、図面を参照して説明する。
【００１２】
図１は、本発明の実施形態に係る液晶表示装置の平面図である。図２は、図１に示す液晶表示装置のII−II線断面図である。
【００１３】
液晶表示装置は、液晶パネル１０を有する。液晶パネル１０は、画像表示用のパネルである。液晶パネル１０は、相互に重ねられた第１基板１２及び第２基板１４を含む。第１基板１２及び第２基板１４は、ガラスなどの光透過性基板からなり、両者間には図示しない液晶が介在する。第１基板１２は、図示しない薄膜トランジスタ、画素電極及び配線などを含むＴＦＴ（Thin Film Transistor）基板（又はアレイ基板）であり、第２基板１４はカラーフィルタ基板である。第２基板１４には、第１基板１２を向く面にブラックマトリクス１６が形成されている。ブラックマトリクス１６は、第２基板１４の端部に至らないように配置されている。液晶パネル１０の駆動方式は、IPS（In Plane Switching）方式、TN（Twisted Nematic）方式又はVA（Vertical Alignment）方式などいずれの方式であってもよく、方式に応じた電極及び配線が形成される。第１基板１２及び第２基板１４の相互に反対を向く面には、それぞれ、偏光板１３，１５が貼り付けられている。
【００１４】
第１基板１２及び第２基板１４は、それぞれ、大きさの異なる矩形の平面形状を有する。第１基板１２の一辺（図１で下側の辺）が第２基板１４の一辺から突出する。第１基板１２の第２基板１４から突出した部分には、液晶を駆動するためのドライバ回路を内蔵する集積回路チップ１８が搭載され、フレキシブル配線基板２０が取り付けられている。第１基板１２の残りの三辺と、第２基板１４の残りの三辺は、揃うように（又は重なるように）配置されている。図２に示すように、第１基板１２の辺に揃うように配置された第２基板１４の辺に至らないように、ブラックマトリクス１６が形成されている。したがって、辺同士が揃った第１基板１２及び第２基板１４の端部では、第１基板１２及び第２基板１４を光が通過できるようになっている。
【００１５】
液晶表示装置は、視差バリア液晶パネル２２を有する。視差バリア液晶パネル２２は、視差バリア方式（パララックスバリア方式）によって、画像表示用の液晶パネル１０に表示された左眼画像と右眼画像を分離して裸眼立体視を可能にするためのものである。視差バリア方式（パララックスバリア方式）とは、画像の表示面に縦縞状のフィルタ（視差バリア）を重ねることで、左目には左目用の映像だけが、右目には右目用の映像だけが映るようにする方式である。そして、人の左右の目に異なる二次元画像を認識させ、その二つの二次元画像を基に、脳が三次元空間を構築する。視差バリア液晶パネル２２は、液晶パネル１０に貼り付けられている。視差バリア液晶パネル２２にも、フレキシブル配線基板２４が取り付けられている。視差バリア液晶パネル２２の相互に反対を向く面には、それぞれ、偏光板１５，２３が貼り付けられている。
【００１６】
変形例として、視差バリア液晶パネル２２の代わりに、レンチキュラー方式によって、画像表示用パネルに表示された左眼画像と右眼画像を分離して裸眼立体視を可能にするためのレンチキュラーレンズ用液晶パネルを使用してもよい。レンチキュラーレンズ用液晶パネルは、液晶によってレンチキュラーレンズを形成するパネルであり、例えば、ＷＯ２００７／０７２２８９号公報に開示されている。なお、液晶によってマイクロレンズを形成することは、特開平１０−２３９６７６号公報及び特開２００９−４８０７８号公報に開示されている。
【００１７】
液晶表示装置は、液晶パネル１０に重ねられて光を供給するためのバックライト２６を有する。図２には、バックライト２６の一部である導光板２８及び光学シート３０が示されている。バックライト２６は、視差バリア液晶パネル２２とは反対側で、液晶パネル１０に対向するように配置されている。導光板２８は、点光源としての発光ダイオード（図示せず）の光を面光源に変換して液晶パネル１０に照射するためのものである。光学シート３０は、拡散シート及びプリズムシートなどを含む。また、導光板２８の下（光学シート３０群とは反対側）には反射シート３２が配置されている。導光板２８から反射シート３２の方向に出た光は、反射シート３２で反射されて導光板２８に戻る。
【００１８】
液晶表示装置は、例えば樹脂からなるフレーム３４を有する。フレーム３４は、枠状をなして内側にバックライト２６が配置される。また、フレーム３４の上に液晶パネル１０が載せられている。導光板２８の上面が液晶パネル１０を向いて、面発光した光が液晶パネル１０に入るようになっている。フレーム３４は、白色などの光が透過する色の材料からなる。
【００１９】
液晶表示装置は、液晶パネル１０の端部とフレーム３４を粘着する遮光両面テープ３６を有する。遮光両面テープ３６は、液晶パネル１０とフレーム３４との間から突出して屈曲し、液晶パネル１０の端面を覆う。遮光両面テープ３６は、液晶パネル１０の第１基板１２及び第２基板１４の両方の端面を覆う。遮光両面テープ３６は、第１基板１２及び第２基板１４の三辺（揃った三辺）の端面を覆う。
【００２０】
本実施形態によれば、液晶パネル１０の端部とフレーム３４が遮光両面テープ３６で粘着しているので、フレーム３４から液晶パネル１０の端部への光漏れが防止されている。また、液晶パネル１０の端面が遮光両面テープ３６で覆われているので、偏光板とフレーム３４との間を光が通っても、液晶パネル１０（特に第２基板１４）の端面で光が反射しないので、光漏れを防止することができる。なお、偏光板１３を通過した光であっても、第２基板１４の内部を反射して伝播することがあり、このような光が第２基板１４の端面で反射することも、遮光両面テープ３６によって防止される。
【００２１】
図３は、本発明の実施形態に係る液晶表示装置の製造方法を示す図である。液晶表示装置の組み立てプロセスでは、液晶パネル１０を、遮光両面テープ３６を介してフレーム３４に貼り付けることを含む。このとき、遮光両面テープ３６は、フレーム３４の上面で拡げられて液晶パネル１０から突出するように配置する。なお、遮光両面テープ３６は、液晶パネル１０から突出した部分が、フレーム３４側において粘着力を有しないように構成してもよい。その後、遮光両面テープ３６の液晶パネル１０から突出した部分を折り曲げて液晶パネル１０の端面に貼り付ける。遮光両面テープ３６の両面全体が粘着力を有するときは、液晶パネル１０から突出した部分を、フレーム３４から剥がして、これを液晶パネル１０の端面に貼り付ける。こうして、上述した効果を奏する液晶表示装置を組み立てることができる。
【００２２】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００２３】
１０  液晶パネル、１２  第１基板、１３  偏光板、１４  第２基板、１５  偏光板、１６  ブラックマトリクス、１８  集積回路チップ、２０  フレキシブル配線基板、２２  視差バリア液晶パネル、２３  偏光板、２４  フレキシブル配線基板、２６  バックライト、２８  導光板、３０  光学シート、３２  反射シート、３４  フレーム、３６  遮光両面テープ。
【図１】
0006025379.tif 000002
【図２】
0006025379.tif 000003
【図３】
0006025379.tif 000004